(57)【要約】【課題】  ふたの破損を防止するとともに、ふたの起立や転倒の速度を低減させ、ゴミ箱の破損及び損傷を最小化することができるゴミ箱のふた回動装置を提供する。【解決手段】  フレームＰに固定された第１の固定回動軸Ｓ１を基準として第１の外力によって回動される外力印加部１０と、外力印加部１０とふたＣを媒介し、第１の外力による外力印加部１０の回動により連動し、ふたＣがフレームＰを基準として起立されるようにし、第１の外力が解除された場合、ふたＣの自重によりふたＣがフレームＰを基準として転倒されるようにする媒介部２０と、を含む。【選択図】      図１
2018016409.tif 000002
【特許請求の範囲】
【請求項１】
フレームとふたにより所定の空間が形成されるゴミ箱に取り付けられ、
前記所定の空間が外部に露出されるように前記フレームを基準として前記ふたを起立するか、または前記所定の空間が外部と断絶されるように前記ふたを前記フレームを基準として転倒されるようにするゴミ箱のふた回動装置において、
前記フレームに固定された第１の固定回動軸を基準として第１の外力によって回動される外力印加部と、
前記外力印加部と前記ふたを媒介し、前記第１の外力による前記外力印加部の回動により連動し、前記ふたが前記フレームを基準として起立されるようにし、
前記第１の外力が解除された場合、前記ふたの自重により前記ふたが前記フレームを基準として転倒されるようにする媒介部と、を含み、
前記媒介部は、
第２の外力により前記ふたの起立が制限された場合、前記第１の外力による前記外力印加部の回動によって変形して、前記第１の外力が前記ふたに伝達されることを防止することを特徴とするゴミ箱のふた回動装置。
【請求項２】
前記媒介部は、
前記外力印加部に連結される第１の連結部と、
前記第１の連結部に連結されて、前記第２の外力によって前記ふたの起立が制限された場合、前記第１の外力による前記外力印加部の回動により変形する変形部と前記変形部と前記ふたとを連結する第２の連結部と、を備え、
前記変形部は、
前記第２の外力のない場合、前記外力印加部に印加された前記第１の外力によって連動し、連結された前記第２の連結部を位置移動させて前記ふたが前記第２の固定回動軸を基準として回動されるようにし、
前記第２の外力によって前記ふたの起立が制限された場合、前記第１の外力による前記外力印加部の回動により変形して前記第２の連結部が位置移動されないようにすることを特徴とする請求項１に記載のゴミ箱のふた回動装置。
【請求項３】
前記変形部は、
前記第２の外力のない場合、前記外力印加部に印加された前記第１の外力によって第１の長さから第２の長さに変形し、
前記第２の外力によって前記ふたの起立が制限された場合、前記外力印加部に印加された前記第１の外力によって第１の長さから第３の長さに変形し、
前記第２の長さは、
前記第３の長さよりも短いことを特徴とする請求項２に記載のゴミ箱のふた回動装置。
【請求項４】
前記フレームと前記媒介部との間に取り付けられ、前記媒介部の位置移動に応じて弾性変形し、前記媒介部の位置移動の速度を低減させる移動速度低減部をさらに含むことを特徴とする請求項２に記載のゴミ箱のふた回動装置。
【請求項５】
前記第２の連結部は、
前記変形部に連結される変形部の連結部及び前記ふたに連結されるふた連結部を備え、
前記移動速度低減部は、
前記フレームに固定されたまま前記ふた連結部に連結され、
前記ふたが転倒する場合、
前記ふたと連動される前記ふた連結部によって弾性変形し、
前記弾性変形による復元力により前記ふたの転倒速度を低減させる転倒速度低減部と、
前記フレームに固定されたまま前記変形部の連結部に連結され、前記ふたが起立する場合、
前記ふたと連動される前記変形部の連結部によって弾性変形し、
前記弾性変形による復元力により前記ふたの起立速度を低減させる起立速度低減部備えることを特徴とする請求項４に記載のゴミ箱のふた回動装置。
【請求項６】
前記変形部の連結部は、
前記フレームに固定された第３の固定回動軸に回動可能に連結された回動連結部と、
前記ふた連結部に連結されたまま前記ふた連結部を基準として回動される第１の回動部と、
前記変形部に連結されたまま前記変形部を基準として回動される第２の回動部と、
前記起立速度低減部に接触する接触部と、
を備えることを特徴とする請求項５に記載のゴミ箱のふた回動装置。
【請求項７】
前記第１の回動部は、
前記外力印加部に前記第１の外力が印加された場合、前記回動連結部を基準として第１の方向に回動され、
前記外力印加部に前記第１の外力が解除された場合、前記回動連結部を基準として第２の方向に回動され、
前記転倒速度低減部は、
前記第１の回動部が前記第２の方向に回動される場合、弾性変形されて復元力を提供することを特徴とする請求項６に記載のゴミ箱のふた回動装置。
【請求項８】
前記第２の回動部は、
前記外力印加部に前記第１の外力が印加された場合、前記回動連結部を基準として第１の方向に回動され、
前記外力印加部に前記第１の外力が解除された場合、前記回動連結部を基準として第２の方向に回動され、
前記起立速度低減部は、
前記第２の回動部が前記第１の方向に回動される場合、接触部との接触により弾性変形されて復元力を提供することを特徴とする請求項６に記載のゴミ箱のふた回動装置。
【請求項９】
前記転倒速度低減部は、
前記変形部の連結部に連結される位置移動部と、
前記位置移動部が収容されたまま摺動する胴体部及び前記胴体部に収容されたまま前記位置移動部によって弾性変形されるスプリング部と、を備え、
前記胴体部は、
前記位置移動部の位置移動による収容空間のサイズ変化に応じて前記収容空間に収容された空気が外部に流出されるか、または外部の空気が前記収容空間に流入される貫通口を備え、
前記位置移動部は、
前記貫通口を介して流入または流出される空気の量に応じて位置移動の速度が決定されることを特徴とする請求項５に記載のゴミ箱のふた回動装置。
【請求項１０】
前記位置移動部は、
前記貫通口を介して流入または流出される空気によって位置移動の速度が低減することを特徴とする請求項９に記載のゴミ箱のふた回動装置。
【発明の詳細な説明】
【技術分野】
【０００１】
本発明は、ゴミ箱のふた回動装置に関し、より詳細には、ユーザーが印加した外力によって起立されるゴミ箱のふたが予期せぬ外力によって起立が制限された場合、ユーザーが印加した外力によってふたが破損または損傷することを防止するゴミ箱のふた回動装置に関する。
【背景技術】
【０００２】
ゴミ箱は、大きく分けてふたのないものとふたのあるものとに分けられるが、ゴミや汚物などによる臭いや美観上の理由から、ふた付きのゴミ箱が主に使用されているか、そのゴミや汚物などの臭いを遮断するためにふたが閉まるゴミ箱が要求されてきた。
【０００３】
従来にもふたが胴で回動され、筒の内部にゴミを投入したあと、ふたが自動的に閉じられるようにしたもの（韓国公開特許第１０-２００８-０１１１４３５号）が示されているが、ふたの上側に物が載せられていたり、予期せぬ外力が作用してふたが起立されることが制限される場合、ふたを起立させるために印加された外力にふたまたはふたを起立させる部材が破損または損傷するような問題が発生した。
【０００４】
また、ふたが閉まる場合、ふたの自重によって突然閉じてしまい、ふたと接触されるゴミ箱の一部またはふたが破損するような問題が発生し、これに対する解決策が切実であるのが実情であった。
【発明の概要】
【発明が解決しようとする課題】
【０００５】
したがって、本発明は、上記のような問題を解決するために案出されたもので、その目的はゴミ箱のふたの起立が制限される場合、ふたを開くための外力がふたに伝達されないようにし、ふたの破損を防止するとともに、ふたの起立や転倒の速度を低減させ、ゴミ箱の破損及び損傷を最小化することができるゴミ箱のふた回動装置を提供することである。
【課題を解決するための手段】
【０００６】
上記の課題を達成するために本発明の一実施形態に係るゴミ箱のふた回動装置は、フレームとふたにより所定の空間が形成されるゴミ箱に取り付けられ、前記所定の空間が外部に露出されるように前記フレームを基準として前記ふたを起立したり、前記所定の空間が外部と断絶されるように前記ふたを前記フレームを基準として転倒されるようにするゴミ箱のふた回動装置において、前記フレームに固定された第１の固定回動軸を基準として第１の外力によって回動される外力印加部と、前記外力印加部と前記ふたを媒介し、前記第１の外力による前記外力印加部の回動により連動し、前記ふたが前記フレームを基準として起立されるようにし、前記第１の外力が解除された場合、前記ふたの自重により前記ふたが前記フレームを基準として転倒されるようにする媒介部と、を含み、前記媒介部は、第２の外力により前記ふたの起立が制限された場合、前記第１の外力による前記外力印加部の回動によって変形して、前記第１の外力が前記ふたに伝達されることを防止することができる。
【０００７】
また、本発明の一実施形態に係るゴミ箱のふた回動装置の前記媒介部は、前記外力印加部に連結される第１の連結部と、前記第１の連結部に連結されて、前記第２の外力によって前記ふたの起立が制限される場合、前記第１の外力による前記外力印加部の回動により変形する変形部と前記変形部と前記ふたとを連結する第２の連結部と、を備え、前記変形部は、前記第２の外力のない場合、前記外力印加部に印加された前記第１の外力によって連動し、連結された前記第２の連結部を位置移動させて前記ふたが前記第２の固定回動軸を基準として回動されるようにして、前記第２の外力によって前記ふたの起立が制限された場合、前記第１の外力による前記外力印加部の回動により変形して前記第２の連結部が位置移動しないようにすることができる。
【０００８】
また、本発明の一実施形態に係るゴミ箱ふたの回動装置の前記変形部は、前記第２の外力のない場合、前記外力印加部に印加された前記第１の外力によって第１の長さから第２の長さに変形し、前記第２の外力によって前記ふたの起立が制限された場合、前記外力印加部に印加された前記第１の外力によって第１の長さから第３の長さに変形し、前記第２の長さは、前記第３の長さよりも短いことがある。
【０００９】
また、本発明の一実施形態に係るゴミ箱のふた回動装置は、前記フレームと前記媒介部との間に取り付けられ、前記媒介部の位置移動に応じて弾性変形し、前記媒介部の位置移動の速度を低減させる移動速度低減部をさらに含むすることができる。
【００１０】
また、本発明の一実施形態に係るゴミ箱ふたの回動装置の前記第２の連結部は、前記変形部に連結される変形部の連結部及び前記ふたに連結されるふた連結部とを備え、前記移動速度低減部は、前記フレームに固定されたまま前記ふた連結部に連結され、前記ふたが転倒する場合、前記ふたと連動される前記ふた連結部によって弾性変形し、前記弾性変形による復元力により前記ふたの転倒速度を低減させる転倒速度低減部と、前記フレームに固定されたまま前記変形部の連結部に連結され、前記ふたが起立する場合、前記ふたと連動される前記変形部の連結部によって弾性変形し、前記弾性変形による復元力により前記ふたの起立速度を低減させる起立速度低減部備えることができる。
【００１１】
また、本発明の一実施形態に係るゴミ箱ふたの回動装置の前記変形部の連結部は、前記フレームに固定された第３の固定回動軸に回動可能に連結された回動連結部と、前記ふた連結部に連結されたまま前記ふた連結部を基準として回動される第１の回動部と、前記変形部に連結されたまま前記変形部を基準として回動される第２の回動部及び前記起立速度低減部に接触される接触部を備えることができる。
【００１２】
また、本発明の一実施形態に係るゴミ箱ふたの回動装置の前記第１の回動部は、前記外力印加部に前記第１の外力が印加された場合、前記回動連結部を基準として第１の方向に回動され、前記外力印加部に前記第１の外力が解除された場合、前記回動連結部を基準として第２の方向に回動されて前記転倒速度低減部は、前記第１の回動部が前記第２の方向に回動される場合、弾性変形されて復元力を提供するすることができる。
【００１３】
また、本発明の一実施形態に係るゴミ箱ふたの回動装置の前記第２の回動部は、前記外力印加部に前記第１の外力が印加された場合、前記回動連結部を基準として第１の方向に回動され、前記外力印加部に前記第１の外力が解除された場合、前記回動連結部を基準として第２の方向に回動され、前記起立速度低減部は、前記第２の回動部が前記第１の方向に回動される場合、接触部との接触により弾性変形されて復元力を提供することができる。
【００１４】
また、本発明の一実施形態に係るゴミ箱ふたの回動装置の前記転倒速度低減部は、前記変形部の連結部に連結される位置移動部と、前記位置移動部が収容されたまま摺動する胴体部及び前記胴体部に収容されたまま前記位置移動部によって弾性変形されるスプリング部と、を備え、前記胴体部は、前記位置移動部の位置移動による収容空間のサイズ変化に応じて前記収容空間に収容された空気が外部に流出するか、または外部の空気が前記収容空間に流入される貫通口を備え、前記位置移動部は、前記貫通口を介して流入または流出する空気の量に応じて位置移動の速度が決定されることができる。
【００１５】
また、本発明の一実施形態に係るゴミ箱ふたの回動装置の前記位置移動部は、前記貫通口を介して流入または流出する空気によって位置移動の速度が低減されることができる。
【発明の効果】
【００１６】
以上のように、本発明によれば、ゴミ箱のふたの起立が制限される場合、ふたを開くために印加された外力がふたに伝達されないようにしてふたが破損することを防止することができるという効果を奏する。
【００１７】
また、ふたが起立したり、転倒したりする速度を低減させ、予期せぬふたの起立や転倒によりごみ箱が破損することを防止し、ゴミ箱の寿命を延長させるとともに、予期せぬふたの起立や転倒による騒音を低減してユーザーに快適さを提供することができるという効果を奏する。
【図面の簡単な説明】
【００１８】
【図１】本発明の一実施形態に係るゴミ箱ふたの回動装置が取り付けられたゴミ箱を示した概略斜視図である。
【図２】本発明の一実施形態に係るゴミ箱ふたの回動装置の動作を説明するための概略図である。
【図３】本発明の一実施形態に係るゴミ箱ふたの回動装置の動作を説明するための概略図である。
【図４】本発明の一実施形態に係るゴミ箱のふた回動装置を示す概略斜視図である。
【図５】本発明の一実施形態に係るゴミ箱のふた回動装置を分解した分解斜視図である。
【図６】本発明の一実施形態に係るゴミ箱ふたの回動装置の一部を示す概略斜視図である。
【図７】本発明の一実施形態に係るゴミ箱のふた回動装置によってふたが起立することを説明するための概略図である。
【図８】本発明の一実施形態に係るゴミ箱のふた回動装置によってふたが転倒することを説明するための概略図である。
【図９】本発明の一実施形態に係るゴミ箱ふたの回動装置の転倒速度低減部の作動を説明するための模式図。
【発明を実施するための形態】
【００１９】
以下では、図面を参照して本発明の具体的な実施形態を詳細に説明する。ただし、本発明の思想は、提示された実施形態に限定されず、本発明の思想を理解する当業者は、同一思想の範囲内で他の構成要素を追加、変更、削除などを通じて退歩的な他の発明や本発明の思想の範囲内に含まれる他の実施形態を容易に提案することができるが、これも同様に本発明の思想の範囲内に含まれるといえる。また、各実施形態の図面に示される同じ思想の範囲内の機能が同一である構成要素は、同じ参照符号を付けて説明する。
【００２０】
図１は、本発明の一実施形態に係るゴミ箱ふたの回動装置が取り付けられたゴミ箱を示した概略斜視図であり、図２および図３は、本発明の一実施形態に係るゴミ箱ふたの回動装置の動作を説明するための概略図である。
【００２１】
図１ないし図３を参照すれば、本発明の一実施形態に係るゴミ箱ＴふたＣの回動装置（以下、回動装置１）は、、フレームＰとふたＣによって所定の空間が形成されたゴミ箱Ｔに装着されて、前記所定の空間が外部に露出されるようにしたり、前記所定の空間が外部と断絶されるようにふたＣを開いたり閉じたりする装置でありえ。ここで、回動装置１は、物を保管する保管箱やふたＣを開いて閉じなければならない生活用品に使用されてふたＣを回動させる装置でありえる。
【００２２】
また、本発明の一実施形態に係る回動装置１が取り付けられたゴミ箱Ｔは、フレームＰとフレームＰに固定された第２の固定回動軸Ｓ２に連結され、第２の固定回動軸Ｓ２を基準として回動されるふたＣとを備える。
【００２３】
ふたＣは、、第２の固定回動軸Ｓ２を基準として起立する場合、ごみ箱Ｔの所定の空間が外部に露出されるようにし、第２の固定回動軸Ｓ２を基準として転倒される場合、ごみ箱Ｔの所定の空間が外部と断絶されるようにする。
【００２４】
つまり、ユーザーは、ごみ箱Ｔの所定の空間にゴミを入れたり取り出すためにふたＣを起立させてゴミ箱Ｔを使用しない場合には、ふたＣが転倒されるようにして、所定の空間に収容されたゴミが外部に露出されないようにする。
【００２５】
また、本発明の一実施形態に係る回動装置１は、、フレームＰに固定された第１の固定回動軸Ｓ１を基準とし、第１の外力によって回動される外力印加部１０及び外力印加部１０とふたＣとを媒介して第１の外力による外力印加部１０の回動に応じて連動し、ふたＣがフレームＰを基準として起立されるようにしたり、第１の外力が解除された場合、ふたＣの自重によってふたＣがフレームＰを基準として転倒されるようにする媒介部２０を含む。ここで、第１の外力とは、ユーザーがゴミ箱ＴのふたＣを起立させるために回動装置１に加える力である。
【００２６】
媒介部２０は、第２の外力によってふたＣの起立が制限された場合、第１の外力による外力印加部１０の回動により変形し、第１の外力がふたＣに伝達されることを防止する。
【００２７】
つまり、媒介部２０は、第２の外力が作用しない場合、外力印加部１０に印加された第１の外力をふたＣに伝達してふたＣが起立されるようにし、第２の外力が作用する場合、外力印加部１０に印加された第１の外力がふたＣに伝達されないようにして、第１の外力と第２の外力との直接的な衝突を防止して回動装置１またはふたＣが相反された第１の外力と第２の外力によって破損または損傷されないようにする。
【００２８】
ここで、第２の外力とは、フレームＰを基準として転倒されたふたＣの上面から下面方向に作用する力でありえる。要するに、ふたＣの起立を妨害するものＮなどが置かれた場合でありえる。
【００２９】
以下、図４ないし図９を参照しながら回動装置１について具体的に説明する。
【００３０】
図４は、本発明の一実施形態に係るゴミ箱のふた回動装置を示す概略斜視図、図５は、本発明の一実施形態に係るゴミ箱のふた回動装置を分解した分解斜視図、図６は、本発明の一実施形態に係るゴミ箱ふたの回動装置の一部を示した概略斜視図である。
【００３１】
図４ないし図６を参照すれば、本発明の一実施形態に係る回動装置１の媒介部２０は、外力印加部１０に連結される第１の連結部２１、第１の連結部２１に連結され、第２の外力によってふたＣの起立が制限された場合、第１の外力による外力印加部１０の回動により変形する変形部２３、及び変形部２３とふたＣとを連結する第２の連結部２２を備える。
【００３２】
外力印加部１０は、ゴミ箱Ｔの下部側に位置し、ユーザーが身体の一部（足）を利用して第１の外力の印加をしやすくする。
【００３３】
媒介部２０は、外力印加部１０とふたＣとを媒介し、外力印加部１０からふたＣに向かってゴミ箱Ｔの高さ方向に沿って配置される。
【００３４】
第１の連結部２１は、外力印加部１０と接触したまま、外力印加部１０の位置移動に連動して位置が移動され、変形部２３は、第１の連結部２１と接触して第１の連結部２１の位置移動に連動される。
【００３５】
変形部２３は、第２の外力のない場合、外力印加部１０に印加された第１の外力によって連動し、連結された第２の連結部２２を位置移動させてふたＣが第２の固定回動軸Ｓ２を基準として回動されるようにする。また、第２の外力によってふたＣの起立が制限された場合、第１の外力による外力印加部１０の回動により変形して、第２の連結部２２が位置移動されないようにする。
【００３６】
具体的には、変形部２３は、前記第２の外力のない場合、外力印加部１０に印加された第１の外力によって第１の長さＬ１から第２の長さＬ２に変形し、第２の外力によってふたＣの起立が制限された場合、外力印加部１０に印加された第１の外力によって第１の長さＬ１から第３の長さＬ３に変形される。
【００３７】
ここで、第１の長さＬ１とは、回動装置１に印加された外力のない状態での変形部２３の長さを意味し、第２の長さＬ２とは、外力印加部１０に印加された第１の外力によって変形した変形部２３の長さを意味する。
【００３８】
第２の長さＬ２は、第１の長さＬ１と同一または大きいことがあり、第２の長さＬ２の状態での変形部２３は、第２の長さＬ２を維持したまま、位置移動されて連結された第２の連結部２２が位置移動されるようにする。
【００３９】
変形部２３は、、弾性力が具備された弾性体でありえるし、印加された外力に伸長または収縮して正常状態に復元しようとする復元力を備えることができる。
【００４０】
変形部２３は、第１の外力による位置移動により第２の長さＬ２に変形するが、変形による復元力の大きさが第２の連結部２２及びふたＣの自重と同じくなった場合（第２の長さＬ２の状態）には変形せず、位置移動されて第２の連結部２２が連動されるようにする。ここで、変形部２３の変形を引き起こす弾性力が第２の連結部２２及びふたＣの自重より大きいか同じである場合には、変形部２３の第２の長さＬ２は、第１の長さＬ１と同じである場合がある。
【００４１】
一方、第２の外力によってふたＣの起立が制限された場合、変形部２３は、第１の外力によって第３の長さＬ３に変形し、第３の長さＬ３は、第２の長さＬ２よりも長い。具体的には、変形部２３は、第１の外力によって位置移動される過程で、第２の外力によって固定された第２の連結部２２によって位置移動が制限され、その時点から位置移動はされないまま、長さが伸びて第３の長さＬ３に変形するのである。
【００４２】
このとき、第３の長さＬ３に変形した変形部２３の復元力は、おおよそ第１の外力と同一でありえる。つまり、変形部２３は、第１の外力を弾性力に転換して第２の連結部２２が位置移動されないようにすることができ、これにより、ふたＣが起立することを防止してふたＣが起立される力と第２の外力とが衝突してふたＣまたは回動装置１が破損及び損傷することを防止することができる。
【００４３】
また、本発明の一実施形態に係る回動装置１は、フレームＰと媒介部２０との間に取り付けられ、媒介部２０の位置移動に応じて弾性変形して媒介部２０の位置移動の速度を低減する移動速度低減部３０をさらに含む。
【００４４】
第２の連結部２２は、変形部２３に連結される変形部の連結部２２１及びふたＣに連結されたふた連結部２２３を備える。
【００４５】
移動速度低減部３０は、、フレームＰに固定されたままふた連結部２２３に連結され、ふたＣが転倒する場合、ふたＣと連動されるふた連結部２２３によって弾性変形して、弾性変形による復元力によりふたＣの転倒速度を低減する転倒速度低減部３１及び、フレームＰに固定されたまま変形部の連結部２２１に連結され、ふたＣが起立する場合、ふたＣと連動される変形部の連結部２２１によって弾性変形して、弾性変形による復元力によりふたＣの起立速度を低減する起立速度低減部３３を備える。
【００４６】
変形部の連結部２２１は、、フレームＰに固定された第３の固定回動軸Ｓ３に回動自在に連結された回動連結部２２１１、 ふた連結部２２３に連結されたままふた連結部２２３を基準として回動される第１の回動部２２１３、及び変形部２３に連結されたまま変形部２３を基準として回動される第２の回動部２２１５及び起立速度低減部３３に接触する接触部２２１７を備える。
【００４７】
以下、図７及び図８を参照して外力印加部１０に印加された第１の外力によって位置移動される変形部の連結部２２１及び移動速度低減部３０について説明する。
【００４８】
図７は、本発明の一実施形態に係るゴミ箱のふた回動装置によってふたが起立されることを説明するための概略図である。図７を参照して外力印加部１０に印加された第１の外力によって回動装置１が動作する過程について説明する。
【００４９】
第２の外力が作用しない状態で、外力印加部１０に印加された第１の外力によって外力印加部１０は、第１の固定回動軸Ｓ１を基準として回動して連結された第１の連結部２１が、上側方向に位置移動されるようにし、第１の連結部２１の位置移動に連結された変形部２３が上側方向に位置移動するようになる。
【００５０】
このとき、変形部２３は、第１の外力による位置移動により第２の長さＬ２に変形するが、変形による復元力の大きさが第２の連結部２２及びふたＣの自重と同じくなった場合（第２の長さＬ２の状態）には変形せず、位置を移動されて第２の連結部２２が連動されるようにする。ここで、変形部２３の変形を引き起こす弾性力が第２の連結部２２及びふたＣの自重よりも大きいか、同一の場合には変形部２３の第２の長さＬ２は、第１の長さＬ１と同一である場合がありえる。
【００５１】
変形部２３が第２の長さＬ２に維持された状態で位置移動され、回動連結部２２１１が第３の固定回動軸Ｓ３を基準として回動されるようにする。
【００５２】
回動連結部２２１１が回動することによって第１の回動部２２１３は、回動連結部２２１１を基準として第１の方向Ｒ１に回動される。ここで、第１の方向Ｒ１とは、時計回りでありえる。
【００５３】
第１の回動部２２１３が第１の方向Ｒ１に回動すると、連結されたふた連結部２２３が上側に位置移動され、ふた連結部２２３に連結されたふたＣが上側に押し出されるようになり、ふたＣが第２の固定回動軸Ｓ２を基準として回動されるようになる。つまり、ふたＣがフレームＰを基準として起立されるようになる。このとき、第２の回動部２２１５は、回動連結部２２１１を基準として第１の方向Ｒ１に回動する。
【００５４】
起立速度低減部３３は、第２の回動部２２１５が第１の方向Ｒ１に回動された場合、接触部２２１７との接触により弾性変形して復元力を提供する。
【００５５】
つまり、第２の回動部２２１５の第１の方向Ｒ１への回転により接触部２２１７は、起立速度低減部３３と接触して起立速度低減部３３の弾性変形を引き起こし、これにより第２の回動部２２１５の第１の方向Ｒ１への回転は、起立速度低減部３３によって干渉され、回転速度が減ることになる。
【００５６】
第２の回動部２２１５の回転速度が減少することで、第１の回動部２２１３の第１の方向Ｒ１への回転速度をも減少され、結局第１の回動部２２１３に連結されたふた連結部２２３の位置移動の速度を低減させ、ふたＣが起立する速度を遅らせることになる。
【００５７】
一方、第２の外力によってふたＣの起立が制限された場合、変形部２３は、第１の外力によって第３の長さＬ３に変形し、第３の長さＬ３は、第２の長さＬ２よりも長い。具体的には、変形部２３は、第１の外力によって位置移動される過程で、第２の外力によって固定された第２の連結部２２によって位置移動が制限され、その時点から位置移動されないまま、長さが伸びて、第３の長さＬ３に変形するのである。
【００５８】
このとき、第１の回動部２２１３に連結されたふた連結部２２３は、第２の外力によって位置移動されないので、第１の回動部２２１３も同様に第１の方向Ｒ１に回転されず、変形部２３のみが変形しえる。
【００５９】
第１の長さＬ１から第３の長さＬ３に変形した変形部２３の復元力は、おおよそ第１の外力と同一でありえる。つまり、変形部２３は、第１の外力を弾性力に転換して第２の連結部２２が位置移動されないようにすることができ、これにより、ふたＣが起立することを防止してふたＣが起立する力と第２の外力とが衝突してふたＣまたは回動装置１が破損及び損傷することを防止することができる。
【００６０】
図８は、本発明の一実施形態に係るゴミ箱のふた回動装置によってふたが転倒することを説明するための概略図で、図９は、本発明の一実施形態に係るゴミ箱ふたの回動装置の転倒速度低減部の動作を説明するための概略図である。
【００６１】
図８及び図９を参照して外力印加部１０に印加された第１の外力が解除される場合の回動装置１が動作する過程について説明する。
【００６２】
外力印加部１０に印加された第１の外力が解除されると、ふたＣの自重によってふたＣは、フレームＰを基準として転倒して収容空間Ｍが外部と断絶されるようにする。
【００６３】
ふたＣが自重により第２の固定回動軸Ｓ２を基準として転倒されると、ふたＣに連結されたふた連結部２２３が下側方向に位置移動され、第１の回動部２２１３は、回動連結部２２１１を基準として第２の方向Ｒ２に回動する。このとき、第２の方向Ｒ２は、反時計回りである。
【００６４】
第１の回動部２２１３が第２の方向Ｒ２に回動されることにより、変形部２３は、下側方向に位置移動され、変形部２３に連結された第１の連結部２１が変形部２３と連動して下側方向に位置移動されると、外力印加部１０は、第１の外力が印加される前の状態に復帰する。このとき、転倒速度低減部３１は、第１の回動部２２１３が第２の方向Ｒ２に回動した場合、弾性変形して復元力を提供する。
【００６５】
具体的には、転倒速度低減部３１は、変形部の連結部２２１に連結される位置移動部３１１、位置移動部３１１が収容されたまま摺動する胴体部３１３と、胴体部３１３に収容されたまま位置移動部３１１によって弾性変形するスプリング部３１５を備え、胴体部３１３は、位置移動部３１１の位置移動による収容空間の大きさの変化に応じて収容空間に収容された空気が外部に流出したり、外部の空気が収容空間に流入されたりする貫通口３１３１を備える。
【００６６】
位置移動部３１１は、貫通口３１３１を介して流入または流出される空気の量に応じて位置移動の速度が決定される。
【００６７】
貫通口３１３１は、位置移動部３１１の断面積よりも小さく形成することができる。一例として、位置移動部３１１によって収容空間の大きさが減少する場合、収容空間内に収容された空気が貫通口３１３１を介して流出されることがあり、このとき、貫通口３１３１を介して流出される空気の量は限定されているので、位置移動部３１１の位置移動を妨害する要素として作用することがありえる。
【００６８】
逆に、位置移動部３１１によって収容空間の大きさが増える場合、外部から収容空間内に貫通口３１３１を介して空気が流入されることがあり、このとき、貫通口３１３１を介して流入される空気の量は限定されているので、位置移動部３１１の位置移動を妨害する要素として作用する。
【００６９】
本発明の一実施形態に係る回動装置１の貫通口３１３１は、位置移動部３１１の断面積よりも小さく形成されて、位置移動部３１１が貫通口３１３１を介して流入または流出される空気によって位置移動の速度が低減されうる。
【００７０】
また、転倒速度低減部３１に適用された上記の技術は、起立速度低減部３３にも同様に適用することができる。
【００７１】
以上、本発明に係る実施形態に基づいて本発明の構成及び特徴を説明したが、本発明はこれに限定されず、本発明の思想と範囲内で多様に変更または変形できることは、本発明の属する技術分野における当業者にとっては明白であり、したがって、このような変更または変形は、添付の特許請求の範囲に属することを明らかにしておく。
【符号の説明】
【００７２】
Ｔ    ゴミ箱
Ｃ    ふた
Ｐ    フレーム
Ｍ    収容空間
１    ゴミ箱のふた回動装置
Ｓ１  第１の固定回動軸
Ｓ２  第２の固定回動軸
Ｓ３  第３の固定回動軸
１０  外力印加部
２０  媒介部
３０  移動速度低減部
【図１】
2018016409.tif 000003
【図２】
2018016409.tif 000004
【図３】
2018016409.tif 000005
【図４】
2018016409.tif 000006
【図５】
2018016409.tif 000007
【図６】
2018016409.tif 000008
【図７】
2018016409.tif 000009
【図８】
2018016409.tif 000010
【図９】
2018016409.tif 000011